(57)【要約】【課題】他の無線通信システムに与える影響を低減しつつ、スループットの低下を抑える。【解決手段】無線通信装置は、複数の周波数チャネルに対してキャリアセンスを行う使用状況取得部と、データを送信する際に使用した周波数チャネルに対して他の周波数チャネルより低い優先度を割り当て、複数の周波数チャネルに対して割り当てられている優先度が高い周波数チャネルから順にキャリアセンスの結果に基づいて所定数の周波数チャネルを選択するチャネル選択部と、チャネル選択部により選択された周波数チャネルを用いてデータを送信する送信部とを備える。チャネル選択部は、送信部がデータの送信を終えると複数の周波数チャネルに対する優先度を更新する。【選択図】図２
2015204551.tif 000002
【特許請求の範囲】
【請求項１】
複数の周波数チャネルに対してキャリアセンスを行う使用状況取得部と、
データを送信する際に使用した前記周波数チャネルに対して他の前記周波数チャネルより低い優先度を割り当て、複数の前記周波数チャネルに対して割り当てられている優先度が高い前記周波数チャネルから順にキャリアセンスの結果に基づいて所定数の周波数チャネルを選択するチャネル選択部と、
前記チャネル選択部により選択された周波数チャネルを用いてデータを送信する送信部と
を備え、
前記チャネル選択部は、
前記送信部がデータの送信を終えると複数の前記周波数チャネルに対する優先度を更新する
ことを特徴とする無線通信装置。
【請求項２】
請求項１に記載の無線通信装置において、
前記チャネル選択部は、
直前の送信において用いられた前記周波数チャネルを低優先グループに割り当て、複数の前記周波数チャネルのうち直前の送信において用いられなかった周波数チャネルを高優先グループに割り当てることで優先度を更新し、
前記高優先グループに割り当てられた周波数チャネルを前記低優先グループに割り当てられた周波数チャネルより優先してデータを送信するときに使用する周波数チャネルに選択する
ことを特徴とする無線通信装置。
【請求項３】
請求項２に記載の無線通信装置において、
前記チャネル選択部は、
前記高優先グループに割り当てられた周波数チャネルすべてを使用してもデータの送信に必要とされる帯域を確保できない場合、前記低優先グループに割り当てられた周波数チャネルもデータを送信するときに使用する周波数チャネルに選択する
ことを特徴とする無線通信装置。
【請求項４】
無線通信装置が行う無線通信方法であって、
複数の周波数チャネルに対してキャリアセンスを行う使用状況取得ステップと、
データを送信する際に使用した前記周波数チャネルに対して他の前記周波数チャネルより低い優先度を割り当て、複数の前記周波数チャネルに対して割り当てられている優先度が高い前記周波数チャネルから順にキャリアセンスの結果に基づいて所定数の周波数チャネルを選択するチャネル選択ステップと、
前記チャネル選択ステップにおいて選択された周波数チャネルを用いてデータを送信する送信ステップと、
前記送信ステップの後に複数の前記周波数チャネルに対する優先度を更新する優先度更新ステップと
を有することを特徴とする無線通信方法。
【発明の詳細な説明】
【技術分野】
【０００１】
本発明は、無線通信装置及び無線通信方法に関する。
【背景技術】
【０００２】
ＣＳＭＡ／ＣＡ（Carrier Sense Multiple Access with Collision Avoidance）を用いた無線通信システムでは、送信するデータを有する無線通信装置が、キャリアセンスを行って他の無線通信装置が送信を行っていなければ送信機会を取得する。無線通信装置は、送信機会を取得した後にデータを送信し、データの送信が終われば通信を終了する。無線通信装置は、再度通信を行うときにはバックオフ時間の待機の後に、送信機会を取得してデータの送信を行う（非特許文献１）。
【先行技術文献】
【非特許文献】
【０００３】
【非特許文献１】IEEE Standard for Information technology-Telecommunications and information exchange between systems-Local and metropolitan area networks-Specific requirements Part 11: Wireless LAN Medium Access Control (MAC) and Physical Layer (PHY) Specifications, 12 June 2007
【発明の概要】
【発明が解決しようとする課題】
【０００４】
ＣＳＭＡ／ＣＡを用いた既設の無線通信システム（以下、プライマリシステムという。）が運用されているエリアに、他の無線通信システム（以下、セカンダリシステムという。）を新たに設けて、プライマリシステムとセカンダリシステムとを共存させる場合、以下のような問題が生じる。セカンダリシステムがＣＳＭＡ／ＣＡを用いた動作をすると、プライマリシステムにおいて送信機会が得られない可能性が高くなり、プライマリシステムに対するセカンダリの影響が大きくなってしまう。また、セカンダリシステムにおいて送信するデータをセグメント化して帯域の占有時間を短くすることにより、プライマリシステムにおける送信機会の取得頻度の低下を抑えると、セカンダリシステムにおいてバックオフ時間などのオーバヘッドによりスループットが低下してしまう。
【０００５】
上記事情に鑑み、本発明は、他の無線通信システムに与える影響を低減しつつ、スループットの低下を抑えることができる無線通信装置及び無線通信方法を提供することを目的としている。
【課題を解決するための手段】
【０００６】
本発明の一態様は、複数の周波数チャネルに対してキャリアセンスを行う使用状況取得部と、データを送信する際に使用した前記周波数チャネルに対して他の前記周波数チャネルより低い優先度を割り当て、複数の前記周波数チャネルに対して割り当てられている優先度が高い前記周波数チャネルから順にキャリアセンスの結果に基づいて所定数の周波数チャネルを選択するチャネル選択部と、前記チャネル選択部により選択された周波数チャネルを用いてデータを送信する送信部とを備え、前記チャネル選択部は、前記送信部がデータの送信を終えると複数の前記周波数チャネルに対する優先度を更新することを特徴とする無線通信装置である。
【０００７】
また、本発明の一態様は、上記の無線通信装置において、前記チャネル選択部は、直前の送信において用いられた前記周波数チャネルを低優先グループに割り当て、複数の前記周波数チャネルのうち直前の送信において用いられなかった周波数チャネルを高優先グループに割り当てることで優先度を更新し、前記高優先グループに割り当てられた周波数チャネルを前記低優先グループに割り当てられた周波数チャネルより優先してデータを送信するときに使用する周波数チャネルに選択することを特徴とする。
【０００８】
また、本発明の一態様は、上記の無線通信装置において、前記チャネル選択部は、前記高優先グループに割り当てられた周波数チャネルすべてを使用してもデータの送信に必要とされる帯域を確保できない場合、前記低優先グループに割り当てられた周波数チャネルもデータを送信するときに使用する周波数チャネルに選択することを特徴とする。
【０００９】
また、本発明の一態様は、無線通信装置が行う無線通信方法であって、複数の周波数チャネルに対してキャリアセンスを行う使用状況取得ステップと、データを送信する際に使用した前記周波数チャネルに対して他の前記周波数チャネルより低い優先度を割り当て、複数の前記周波数チャネルに対して割り当てられている優先度が高い前記周波数チャネルから順にキャリアセンスの結果に基づいて所定数の周波数チャネルを選択するチャネル選択ステップと、前記チャネル選択ステップにおいて選択された周波数チャネルを用いてデータを送信する送信ステップと、前記送信ステップの後に複数の前記周波数チャネルに対する優先度を更新する優先度更新ステップとを有することを特徴とする無線通信方法である。
【発明の効果】
【００１０】
本発明によれば、送信の際に用いる周波数チャネルを優先度の高い周波数チャネルから順に選択することにより、特定の周波数チャネルを頻繁に選択してしまうような選択の偏りを抑えることができ、近傍に位置する他の無線通信システムに対して与える影響を低減させることができる。また、無線通信装置においては、送信データのセグメント化などを行わないので、スループットを低下させることなく、他の無線通信システムへの影響を低減させることができる。
【図面の簡単な説明】
【００１１】
【図１】本実施形態における無線通信装置１０を用いた無線通信システムを示す図である。
【図２】同実施形態における無線通信装置１０の構成例を示すブロック図である。
【図３】同実施形態におけるチャネル選択部１７が周波数チャネルを選択する周波数チャネル選択処理を示すフローチャートである。
【図４】同実施形態におけるセカンダリシステムの無線通信装置１０の動作例を示す図である。
【発明を実施するための形態】
【００１２】
以下、図面を参照して、本発明の実施形態における無線通信装置及び無線通信方法を説明する。図１は、本実施形態における無線通信装置１０を用いた無線通信システムを示す図である。無線通信システムは、少なくとも２つの無線通信装置１０（１０Ａ、１０Ｂ）を備えている。無線通信システム（以下、セカンダリシステムという。）は、既に運用されている他の無線通信システム（以下、プライマリシステムという。）の近傍において運用される。プライマリシステムは、少なくとも２つの無線通信装置５０（５０Ａ、５０Ｂ）を備えている。
【００１３】
プライマリシステム及びセカンダリシステムにおける各無線通信装置は、ＣＳＭＡ／ＣＡを用いた無線通信によりデータの送信を行う。プライマリシステムが無線通信に使用する周波数帯と、セカンダリシステムが無線通信に使用する周波数帯とは、少なくとも一部が重なっている。また、図１に示すように、セカンダリシステムの通信エリア１と、プライマリシステムの通信エリア５とは一部の領域が重なっている。セカンダリシステムに備えられる無線通信装置１０は、プライマリシステムにおける無線通信に与える影響を低減させるように、周波数チャネルを選択して無線通信装置１０間で通信を行う。
【００１４】
なお、図１では、プライマリシステムが一つの場合を示しているが、二つ以上のプライマリシステムがセカンダリシステムの近傍で運用されていてもよい。
【００１５】
図２は、本実施形態における無線通信装置１０の構成例を示すブロック図である。同図に示すように無線通信装置１０は、受信部１１、復調部１２、外部通信インターフェース部１３、変調部１４、優先度記憶部１５、使用状況取得部１６、チャネル選択部１７及び送信部１８を有している。
【００１６】
受信部１１は、無線通信装置１０に備えられているアンテナを介して無線信号を受信する。受信部１１は、受信した無線信号に対して増幅、フィルタリング、周波数変換などの信号処理を行う。受信部１１は、信号処理により得られた受信ベースバンド信号を復調部１２及び使用状況取得部１６に出力する。
【００１７】
復調部１２は、受信部１１が出力する受信ベースバンド信号に対して復調、復号を行って受信データを取得する。復調部１２は、取得した受信データを外部通信インターフェース部１３に出力する。
【００１８】
外部通信インターフェース部１３は、復調部１２が出力する受信データを外部の装置に送信する。また、外部通信インターフェース部１３は、他の無線通信装置１０に送信すべき送信データを外部の装置から受信する。外部通信インターフェース部１３は、受信した送信データを変調部１４に出力する。
【００１９】
変調部１４は、外部通信インターフェース部１３が出力した送信データに対して符号化、変調を行って送信ベースバンド信号を生成する。変調部１４は、生成した送信ベースバンド信号を送信部１８に出力する。
【００２０】
優先度記憶部１５には、周波数チャネルそれぞれの優先度を示す優先度情報が記憶されている。優先度情報によって優先度が示される周波数チャネルは、無線通信装置１０が使用できるすべての周波数チャネルである。本実施形態における優先度情報は、周波数チャネルが高優先グループに属しているか又は低優先グループに属しているかを示す情報である。優先度情報において各周波数チャネルに対応付けられる優先度は、周波数チャネルが高優先グループに属していることを示す「高」、又は低優先グループに属していることを示す「低」のいずれかの値をとる。なお、優先度情報における優先度は、他の属性を示す情報又は数値であってもよい。また、優先度情報における各周波数チャネルの優先度は、初期値として高優先グループに属している情報が設定される。
【００２１】
使用状況取得部１６は、受信部１１が出力する受信ベースバンド信号に基づいて、各周波数チャネルが他の装置によって使用されているか否かを判定する。使用状況取得部１６は、判定結果に基づいて各周波数チャネルの使用状況を取得する。使用状況取得部１６が判定の対象とする周波数チャネルは、無線通信装置１０が使用できるすべての周波数チャネルである。使用状況取得部１６は、他の装置によって使用されていない周波数チャネルを示す使用状況情報をチャネル選択部１７に出力する。
【００２２】
チャネル選択部１７は、優先度記憶部１５から優先度情報を読み出す。チャネル選択部１７は、使用状況取得部１６が出力する使用状況情報と優先度情報とに基づいて、送信データを宛先の装置に送信する際に使用する周波数チャネルを選択する。チャネル選択部１７は、選択した周波数チャネルを示す選択チャネル情報を送信部１８に出力する。チャネル選択部１７は、送信部１８が選択した周波数チャネルを用いた送信を終えると、選択した周波数チャネルの優先度を「低」に更新する。
【００２３】
送信部１８は、選択チャネル情報が示す周波数チャネルそれぞれの周波数に、変調部１４が出力する送信ベースバンド信号を周波数変換して無線信号を生成する。送信部１８は、無線信号に対してフィルタリングや電力増幅を行ってアンテナから送出する。
【００２４】
図３は、本実施形態におけるチャネル選択部１７が周波数チャネルを選択する周波数チャネル選択処理を示すフローチャートである。チャネル選択部１７が周波数チャネル選択処理を開始すると、選択した周波数チャネル数を示す変数ｉに「０」を代入して変数ｉを初期化する（ステップＳ１１）。
【００２５】
チャネル選択部１７は、優先度情報において高優先グループに割り当てられている周波数チャネルのうち、まだ選択されていない周波数チャネルを一つ選択する（ステップＳ１２）。チャネル選択部１７は、変数ｉの値を「１」増加させる（ステップＳ１３）。
【００２６】
ステップＳ１２において、高優先グループに割り当てられている周波数チャネルのから未選択の周波数チャネルを一つ選択する際には、例えば最も周波数の高い周波数チャネルを選択したり、最も周波数の低い周波数チャネルを選択したりする。なお、周波数チャネルを一つ選択する方法は、上記以外の方法であってもよく、ランダムに一つの周波数チャネルを選択してもよい。
【００２７】
チャネル選択部１７は、選択した周波数チャネルの数（変数ｉの値）がＮ以上であるか否かを判定する（ステップＳ１４）。ｉの値がＮ以上である場合（ステップＳ１４：ＹＥＳ）、チャネル選択部１７は、処理をステップＳ１９に進める。一方、ｉの値がＮ以上でない場合（ステップＳ１４：ＮＯ）、チャネル選択部１７は、処理をステップＳ１５に進める。ここで、Ｎは無線通信装置１０が送信データを送信する際に使用する周波数チャネルの数である。周波数チャネル数Ｎは、予め定められた値であってもよいし、変調部１４において算出された値であってもよい。また、周波数チャネル数Ｎは１以上の値である。
【００２８】
チャネル選択部１７は、高優先グループに割り当てられている周波数チャネルにまだ選択されていない周波数チャネルがあるか否かを判定する（ステップＳ１５）。選択されていない周波数チャネルがある場合（ステップＳ１５：ＹＥＳ）、チャネル選択部１７は、処理をステップＳ１２に戻して、ステップＳ１２以降の処理を繰り返す。一方、すべての周波数チャネルが選択されている場合（ステップＳ１５：ＮＯ）、チャネル選択部１７は、処理をステップＳ１６に進める。
【００２９】
チャネル選択部１７は、優先度情報において低優先グループに割り当てられている周波数チャネルのうち、まだ選択されていない周波数チャネルを一つ選択する（ステップＳ１６)。チャネル選択部１７は、変数ｉの値を「１」増加させる（ステップＳ１７）。なお、ステップＳ１６における低優先グループに割り当てられている周波数チャネルから未選択の周波数チャネルを一つ選択する際の方法は、ステップＳ１２において一つの周波数チャネルを選択した際の方法と同じである。
【００３０】
チャネル選択部１７は、選択した周波数チャネルの数（変数ｉ）がＮ以上であるか否かを判定する（ステップＳ１８）。ｉの値がＮ以上である場合（ステップＳ１８：ＹＥＳ）、チャネル選択部１７は、処理をステップＳ１９に進める。一方、ｉの値がＮ以上でない場合（ステップＳ１８：ＮＯ）、チャネル選択部１７は、処理をステップＳ１６に戻して、ステップＳ１６以降の処理を繰り返す。
【００３１】
チャネル選択部１７は、選択したＮ個の周波数チャネルを示す選択チャネル情報を生成して送信部１８に出力し（ステップＳ１９）、周波数チャネル選択処理を終了させる。
【００３２】
周波数チャネル選択処理において選択された周波数チャネルを使用した送信データの送信が完了すると、チャネル選択部１７は、優先度情報を更新する。具体的には、チャネル選択部１７は、送信部１８に出力した選択チャネル情報が示すＮ個の周波数チャネルの優先度を「低」に変更し、選択チャネル情報が示すＮ個の周波数チャネル以外の周波数チャネルに対する優先度を「高」に変更する。
【００３３】
なお、セカンダリシステムに備えられる複数の無線通信装置１０は、予め定められた少なくとも一つの制御専用チャネルを介して、送信データの送信に使用する周波数チャネルを、送信データの宛先の無線通信装置１０に通知する。制御専用チャネルを介して通知するネゴシエーションにより、チャネル選択部１７が選択した周波数チャネルを使用した送信データの送受信が行われる。制御専用チャネルを設けない場合には、無線通信装置１０は、使用できる周波数チャネルすべてを常に受信し、受信した信号に自装置が宛先になっている信号が存在するか否かを判定して、自装置宛の信号を検出する。この場合、無線通信装置１０は、他の無線通信装置１０が宛先を検出できるように、送信データを送信する際の無線信号の先頭に所定の宛先情報を配置する。
【００３４】
図４は、本実施形態におけるセカンダリシステムの無線通信装置１０の動作例を示す図である。同図において、横軸は時間を示し、縦軸は周波数（周波数チャネル）を示す。また、同図には、３つのプライマリシステム（プライマリシステムＡ〜Ｃ）がセカンダリシステムの近傍に位置し、セカンダリシステムの無線通信装置１０が１０個の周波数チャネル（周波数チャネルａ〜ｊ）を使用できる場合における動作例が示されている。
【００３５】
この動作例では、無線通信装置１０が送信データの送信に使用する周波数チャネル数（Ｎ）に「５」が定められている。また、優先度情報における各周波数チャネルの優先度には、初期値として「高」が設定されている。
【００３６】
プライマリシステムＡは、周波数ｆａを中心周波数とする周波数帯を使用してデータの送受信を行う。プライマリシステムＡが使用する周波数帯は、無線通信装置１０が使用できる周波数チャネルのうち周波数チャネルａ〜ｄの周波数帯と重なっている。プライマリシステムＢは、周波数ｆｂを中心周波数とする周波数帯を使用してデータの送受信を行う。プライマリシステムＢが使用する周波数帯は、無線通信装置１０が使用できる周波数チャネルのうち周波数チャネルｃ〜ｇの周波数帯と重なっている。プライマリシステムＣは、周波数ｆｃを中心周波数とする周波数帯を使用してデータの送受信を行う。プライマリシステムＣが使用する周波数帯は、無線通信装置１０が使用できる周波数チャネルのうち周波数チャネルｆ〜ｊの周波数帯と重なっている。
【００３７】
時刻Ｔ１において、セカンダリシステムに備えられた無線通信装置１０Ａに、他の無線通信装置１０Ｂ宛に送信する送信データが入力される。無線通信装置１０Ａにおいて、使用状況取得部１６が各周波数チャネルのキャリアセンスを行い、バックオフ時間に亘って他の装置が使用していない周波数チャネルを示す使用状況情報をチャネル選択部１７に出力する。このとき、プライマリシステムＢでデータの送信が行われているため、使用状況情報は周波数チャネルａ、ｂ、ｈ、ｉ及びｊを示すことになる。
【００３８】
チャネル選択部１７は、優先度情報と使用状況情報とに基づいて、送信データを送信する際に周波数チャネルａ、ｂ、ｈ、ｉ及びｊを使用することを選択する。送信部１８は、周波数チャネルａ、ｂ、ｈ、ｉ及びｊを用いて送信データを送信する。送信データの送信が終わると、チャネル選択部１７は、優先度情報における周波数チャネルａ、ｂ、ｈ、ｉ及びｊの優先度を「低」に変更する。
【００３９】
時刻Ｔ２において、セカンダリシステムに備えられた無線通信装置１０Ａに、他の無線通信装置１０Ｂ宛に送信する送信データが入力される。無線通信装置１０Ａにおいて、使用状況取得部１６が各周波数チャネルのキャリアセンスを行い、バックオフ時間に亘って他の装置が使用していない周波数チャネルを示す使用状況情報をチャネル選択部１７に出力する。時刻Ｔ２において、すべての周波数チャネルは使用されていない。しかし、その後のバックオフ時間にプライマリシステムＡでデータの送信が開始されたため、使用状況情報は周波数チャネルｅ、ｆ、ｇ、ｈ、ｉ及びｊを示すことになる。
【００４０】
チャネル選択部１７は、優先度情報と使用状況情報とに基づいて、送信データを送信する際に周波数チャネルを選択する。具体的には、チャネル選択部１７は、高優先グループに割り当てられている周波数チャネルｅ、ｆ及びｇを選択するとともに、低優先グループに割り当てられている周波数チャネルｈ、ｉ及びｊから周波数チャネルｈ及びｉを選択する。送信部１８は、周波数チャネルｅ、ｆ、ｇ、ｈ及びｉを用いて送信データを送信する。送信データの送信が終わると、チャネル選択部１７は、優先度情報における周波数チャネルｅ、ｆ、ｇ、ｈ及びｉの優先度を「低」に変更する。また、チャネル選択部１７は、優先度情報における周波数チャネルａ、ｂ、ｃ、ｄ及びｊの優先度を「高」に変更する。
【００４１】
以上のように、本実施形態における無線通信装置１０は、直前の送信において用いた周波数チャネルの優先度を直前の送信において用いなかった周波数チャネルの優先度より低く定める。無線通信装置１０は、送信の際に用いる周波数チャネルを、優先度の高い周波数チャネルから順に選択することにより、特定の周波数チャネルを頻繁に選択してしまうような選択の偏りを抑えることができる。周波数チャネルの選択の偏りを抑えることにより、無線通信装置１０を備えるセカンダリシステムで特定の周波数チャネル（周波数帯）を占有する可能性を低くし、近傍に位置するプライマリシステムに対して与える影響を低減させることができる。また、セカンダリシステムにおいては、送信データのセグメント化などを行わないので、セカンダリシステムのスループットを低下させることなく、プライマリシステムへの影響を低減させることができる。
【００４２】
なお、上述した実施形態においては、無線通信装置１０が送信に用いた周波数チャネルを低優先グループに割り当て、送信に用いなかった周波数チャネルを高優先グループに割り当てることにより優先度情報を更新する構成を説明した。しかし、この構成に限ることなく、セカンダリシステムにおいて、いずれかの無線通信装置１０が送信に用いた周波数チャネルを低優先グループに割り当て、送信に用いなかった周波数チャネルを高優先グループに割り当てることによる優先度情報の更新を、セカンダリシステムのすべての無線通信装置１０で行ってもよい。これにより、セカンダリシステムにおいて使用する周波数チャネルが特定の周波数チャネルに偏ることを抑えることができる。
【００４３】
また、上述した実施形態においては、優先度情報における優先度として、周波数チャネルが高優先グループに属しているか又は低優先グループに属しているかを示す情報を用いる構成を説明した。しかし、この構成に限ることなく、チャネル選択部１７は、周波数チャネルの使用頻度に反比例する値を優先度として設定するようにしてもよい。これにより、チャネル選択部１７は、使用頻度が低い周波数チャネルを優先して選択することになり、無線通信装置１０が特定の周波数チャネル（周波数帯）を占有する可能性を低くし、近傍に位置するプライマリシステムに対して与える影響を低減させることができる。
【００４４】
また、無線通信装置１０は、図４に示すように、送信データを送信している期間においても他の装置が各周波数チャネルにおける送信を行っているか否かを検出する無線帯域利用状況確認（ｃ１〜ｃ６）を行うようにしてもよい。
【００４５】
上述した実施形態における無線通信装置１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００４６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４７】
他の無線通信システムが動作している環境において、新たな無線通信システムを設けた場合に既存の無線通信システムに与える影響を低減させることが不可欠な用途にも適用できる。
【符号の説明】
【００４８】
１…セカンダリシステムの通信エリア
５…プライマリシステムの通信エリア
１０、１０Ａ、１０Ｂ、５０、５０Ａ、５０Ｂ…無線通信装置
１１…受信部
１２…復調部
１３…外部通信インターフェース部
１４…変調部
１５…優先度記憶部
１６…使用状況取得部
１７…チャネル選択部
１８…送信部
【図１】
2015204551.tif 000003
【図２】
2015204551.tif 000004
【図３】
2015204551.tif 000005
【図４】
2015204551.tif 000006